(57)【要約】【課題】本発明は、架空配電線に移動や脱落を生じることなく確実、かつ強固に取付けることが出来る電線保護カバ−、及びその取付け方法を提供するものである。【解決手段】管状カバ−本体２の両端に雌雄継手５・７が各々形成されると共に、その長手方向に沿って開閉割部１１が形成されてなる電線保護カバ−１であって、上記雌雄継手５・７には開閉割部１１に対向すべく繋着部材用取付け孔１８・１９が各々形成され、また、開閉割部１１は係合部材１２・１３を介して係着自在とされると共に、各係合部材１２・１３の基端部内面には電線当接用凹部１４・１５が各々形成されている。そして、電線保護カバ−１を開閉割部１１に沿って拡開せしめつつ架空配電線２１に外嵌状に連結して装着せしめると共に、両端に位置する取付け孔１８・１９を介して繋着部材２０により架空配電線２１に繋着せしめるものである。【選択図】        図５
2004159452.tif 000002
【特許請求の範囲】
【請求項１】
管状とされた若干弾性を有するカバ−本体の一端に雌継手が、同他端に雄継手が各々形成されると共に、その長手方向に沿って開閉割部が形成されてなる電線保護カバ−であって、上記雌雄継手には開閉割部に対向すべく繋着部材用取付け孔が各々形成されてなることを特徴とする、電線保護カバ−。
【請求項２】
開閉割部は係合部材を介して係着自在とされると共に、各係合部材の基端部内面には電線当接用凹部が各々形成されてなることを特徴とする、請求項１記載の電線保護カバ−。
【請求項３】
請求項１又は２記載の電線保護カバ−を開閉割部に沿って拡開せしめつつ架空配電線に外嵌状に連結して装着せしめると共に、両端に位置する雌雄継手の取付け孔を介して繋着部材により架空配電線に繋着せしめることを特徴とする、電線保護カバ−の取付け方法。
【発明の詳細な説明】
【０００１】
【発明の属する技術分野】
本発明は、架空配電線、特に電柱より家屋に引込む引込み電線に装着して好適に使用することが出来る、電線保護カバ−、及びその取付け方法に関する。
【０００２】
【従来の技術】
従来より、架空配電線路においては、樹木や看板などの接触による架空配電線の被覆損傷を防止せしめるべく電線保護カバ−が装着せしめられているが、例えば、電柱より家屋に引込む引込み電線の場合には傾斜状を呈するためズリ落ちやすく、確実なる装着がしずらいものである。
【０００３】
かかる従来の問題点を解決するものとして、固定具を用いて電線保護カバ−を装着せしめる方法が実開昭５５−１１７５６号公報（特許文献１）に開示されており、これを図８及び図９に基づいて説明する。
即ち、同図中、５１は固定具、５２は該固定具５１を構成する所要の径を備えたリング状伸縮部材、５３は該伸縮部材５２に取付けられたフックで、該フック５３は後記するカバ−本体５５の外周面に嵌合掛止自在とされている。５４は所要の長さと径を備えた電線保護カバ−、５５は該電線保護カバ−５４を構成する若干弾性を備えた合成樹脂製カバ−本体、５６は該カバ−本体５５の長手方向に沿って形成された開閉割部、５７は該開閉割部５６の両側縁に沿って一体に延設された脚片である。その他、５８は引込み電線など所要の架空配電線を示す。
【０００４】
そして、上述の如く構成された従来例は、先ず、開閉割部５６に沿って外側方に拡開せしめつつ電線保護カバ−５４を架空配電線５８に外嵌状に装着せしめる。しかるのち、伸縮部材５２の一端を架空配電線５８に結び付けると共に、同他端を引張せしめつつカバ−本体５５の外周面に１〜２回巻付け、フック５３をカバ−本体５５の外周面に嵌合掛止せしめて固定するものである（図９参照）。
【０００５】
【発明が解決しようとする課題】
しかしながら、上述の如く構成された従来例は、伸縮部材５２の一端を架空配電線５８に結び付けると共に、同他端をカバ−本体５５に巻付けてフック５３により嵌合掛止せしめるにすぎないものであるから、その固定作業を極めて簡便に行うことが出来る反面、本来的に固定力が弱いのみならず、カバ−本体５５に嵌合掛止するフック５３が経時的にズレ易く、場合によっては固定が外れるなどのおそれがあるものである。また、電線保護カバ−５４自体もそのカバ−本体５５の弾性力により開閉割部５６を閉作動せしめて装着せしめるものであるから、その閉止力は弱いものである。このため、風などの影響を受けて架空配電線５８が激しく揺動する場合には、揺動する架空配電線５８が開閉割部５６の中心に衝突して集中的に荷重がかかり、カバ−本体５５の弾性力に抗して開閉割部５６が拡開脱落するおそれがあるものである。
【０００６】
なお、電線保護カバ−５４における開閉割部５６の閉止力を強固にするものとして、実開昭６０−１２１２２６号公報（特許文献２）には、開閉割部を係合手段でもって係着せしめるべく構成された電線保護カバ−が開示されているが、その係着力は必ずしも充分でなく、揺動時には架空配電線が開閉割部の中心に衝突して集中的に荷重がかかるため、その係合が外れて脱落するおそれがあり、必ずしも満足すべき効果を期待しずらいものである。
【０００７】
【特許文献１】
実開昭５５−１１７５６号公報
【特許文献２】
実開昭６０−１２１２２６号公報
【０００８】
本発明は、上記従来例の問題点を解決し、引込み電線などの架空配電線に極めて容易に、しかも、移動や脱落を生じることなく確実、かつ、強固に取付けることが出来る電線保護カバ−、及びその取付け方法を提供しようとするものである。
【０００９】
【課題を解決するための手段】
上記の目的を達成するため、本発明の請求項１記載の発明は、管状とされた若干弾性を有するカバ−本体の一端に雌継手が、同他端に雄継手が各々形成されると共に、その長手方向に沿って開閉割部が形成されてなる電線保護カバ−であって、上記雌雄継手には開閉割部に対向すべく繋着部材用取付け孔が各々形成されてなることを特徴とする、電線保護カバ−を要旨とするものである。
【００１０】
本発明の請求項２記載の発明は、開閉割部は係合部材を介して係着自在とされると共に、各係合部材の基端部内面には電線当接用凹部が各々形成されてなることを特徴とする、請求項１記載の電線保護カバ−を要旨とするものである。
【００１１】
本発明の請求項３記載の発明は、請求項１又は２記載の電線保護カバ−を開閉割部に沿って拡開せしめつつ架空配電線に外嵌状に連結して装着せしめると共に、両端に位置する雌雄継手の取付け孔を介して繋着部材により架空配電線に繋着せしめることを特徴とする、電線保護カバ−の取付け方法を要旨とするものである。
【００１２】
【発明の実施の形態】
以下に、本発明の実施の形態を図面に示す一実施例に基づいて説明する。
図１乃至図７は本発明の一実施例を示すもので、同図中、１は所要の長さと径を備えた若干弾性を有する合成樹脂製電線保護カバ−、２は該電線保護カバ−１を構成する管状のカバ−本体で、該カバ−本体２は色の異なる外層３と内層４との２層構造に形成されており、外層３の外周面に樹木などが接触して摩耗した場合には内層４が顕現するものとされ、電線保護カバ−１の取替時期を確実に検知すべく構成されている。また、かかるカバ−本体２の内径は、引込み電線の最小、ＤＶ電線２．６ｍｍ（単線）の２個撚り電線（外径９．２ｍｍ）からメッセンジャ−ワイヤ−にバインド線を介して取付けたＳＶケ−ブル１４ｍｍ２３心２本（外径約４５ｍｍ）まで、多種布設の引込み電線に装着せしめるべく大径状（約５５ｍｍ）に設定せしめられている。５は上記カバ−本体２の一端部に同心状に接合された管状雌継手、６は該雌継手５の基端側に膨出形成された環状の係止凹部、７はカバ−本体２の他端部に同心状に接合された管状雄継手、８は該雄継手７の先端縁に突設された環状の係止凸部である。そして、メッセンジャ−ワイヤ−にＳＶケ−ブルを取着せしめるバインド線の引掛りを防止せしめて後記する引込み電線２１の装着をスム−ズに行わしめるべく、上記雌雄継手５・７の内径はカバ−本体２の内径より大径状に設定せしめられると共に、雄継手７の接合部内面および係止凸部８の内周面には各々テ−パ部９・１０が形成されている。１１はカバ−本体２および雌雄継手５・７の長手方向に沿って一直線状に形成された開閉割部、１２はカバ−本体２における該開閉割部１１の長手方向に沿ってその一側に突設された係合凹部、１３は該係合凹部１２に係合せしめるべく同他側に突設された係合凸部、１４・１５は該係合凹凸部１２・１３の基端部内面に各々形成された電線当接用凹部、１６・１７は開閉割部１１の両側に沿って雌雄継手５・７の下端に突設された脚片で、雄継手７の脚片１７は比較的長尺状に形成され、挿入時の方向違いによる雄継手７の外れを有効に防止せしめるべく構成されている。１８・１９は上記開閉割部１１に対向すべく雌雄継手５・７の頂壁に各々形成された繋着部材用取付け孔である。その他、２０はバインド線などよりなる繋着部材、２１はメッセンジャ−ワイヤ−２２にバインド線（図示略）を介してＳＶケ−ブル２３を取着せしめた引込み電線を示す。
【００１３】
そして、上述の如く構成された電線保護カバ−１を引込み電線２１に取付けるさいには、雄継手７の先端部を引込み電線２１に当てがいつつ押圧せしめ、順次両側の脚片１７を各々外方に拡開せしめると共に、開閉割部１１に沿って雄継手７・カバ−本体２・雌継手５を拡開して引込み電線２１に外嵌状に装着せしめる。以下同様に、所要数の電線保護カバ−１を順次開閉割部１１に沿って拡開せしめつつ引込み電線２１に外嵌状に装着せしめると共に、前後に隣あう雌継手５に雄継手７を嵌合せしめてその係止凸部８を係止凹部６に係止し、隣あう電線保護カバ−１を連結せしめる。このさい、雄継手７側の脚片１７が比較的長尺状に形成されているから、嵌合時の方向違いによる雄継手７の外れを有効に防止せしめることが出来、また、雌雄継手５・７の内径がカバ−本体２の内径より大径状に形成されると共に、雄継手７の接合部内面および係止凸部８内周面にテ−パ部９・１０が形成されているから、引込み電線２１の引掛り、即ち、メッセンジャ−ワイヤ−２２にＳＶケ−ブル２３を取着せしめるバインド線（図示略）の引掛りを有効に防止せしめ、常に引込み電線２１の装着をスム−ズに行うことが出来るものである。
【００１４】
電線保護カバ−１どうしの連結が完了すると、両端に位置する雌雄継手５・７の取付け孔１８・１９に各々繋着部材２０を２回通し状に取付けると共に、引込み電線２１全体に巻付けて一体的に繋着せしめ、取付けを完了する。このさい
、連結する電線保護カバ−１の両端に位置する雌雄継手５・７の取付け孔１８・１９を介して繋結部材２０により一体的に繋着せしめるものであるから、その取付け作業を容易に、しかも、確実、かつ強固に行うことが出来、装着する電線保護カバ−１のズリ落ち等の移動を確実に防止せしめ、常に安定的に引込み電線２１を確実に保護せしめることが出来る。また、取付け後においても、図７に図示するように、開閉割部１１を係合凹凸部１２・１３の係合により閉止すると共に、係合凹凸部１２・１３の基端部内面の凹部１４・１５に引込み電線２１を当接せしめることが出来るものであるから、例えば、風などの影響を受けて引込み電線２１が激しく揺動する場合においても、凹部１４・１５に当接せしめ、その衝撃を開閉割部１１の偏心位置に作用せしめることが出来るものであって、ひいては、開閉割部１１の開作動を有効に防止せしめることが出来る。
【００１５】
なお、上記実施例は引込み電線２１への適用例を示したが、これに限定されるものでなく、他の架空配電線にも適用せしめることが出来るものである。
【００１６】
【発明の効果】
本発明は上述のように構成されているから、電線保護カバ−を開閉割部に沿って拡開せしめつつ架空配電線に外嵌状に連結して装着せしめると共に、両端に位置する雌雄継手の取付け孔を介して繋着部材により架空配電線に繋着せしめるという簡単な操作でもって、容易に、しかも、確実、かつ強固に取付けることが出来るものであり、電線保護カバ−のズレ落ち等の移動を確実に防止せしめ、常に架空配電線を確実に保護せしめることが出来るものである。
【００１７】
また、電線保護カバ−の開閉割部は係合部材を介して係着自在とされると共に、各係合部材の基端部内面には電線当接用凹部が各々形成されているから、取付け後においては開閉割部を係合部材により係着して閉止せしめると共に、その基端内面の凹部に架空配電線を当接せしめることが出来るものであって、風などの影響を受けて架空配電線が激しく揺動する場合においても、凹部に当接せしめてその衝撃を開閉割部の偏心位置に作用せしめ、開閉割部の中心に対する集中的な荷重を回避して開作動を阻止せしめることが出来、常に装着電線保護カバ−の脱落を有効に防止せしめることが出来るものである。
【図面の簡単な説明】
【図１】本発明の一実施例の電線保護カバ−１を示す一部破断平面図である。
【図２】実施例の電線保護カバ−１を示す一部破断側面図である。
【図３】図２のΙ−Ι線に沿う端面図である。
【図４】図３のＡ部拡大断面図である。
【図５】実施例の使用状態を示す側面図である。
【図６】図５の雌継手５及び雄継手７における繋着状態を示す断面図である。
【図７】実施例の電線当接用凹部１５に引込み電線２１を当接せしめた状態を示す拡大断面図である。
【図８】従来例の固定具５１を示す側面図である。
【図９】従来例の固定具５１により架空配電線５８を固定せしめた状態を示す一部拡大側面図である。
【符号の説明】
１    電線保護カバ−
２    カバ−本体
５    雌継手
７    雄継手
１１  開閉割部
１２  係合凹部
１３  係合凸部
１４・１５  電線当接用凹部
１８・１９  取付け孔
２０  繋着部材
２１  引込み電線
【図１】
2004159452.tif 000003
【図２】
2004159452.tif 000004
【図３】
2004159452.tif 000005
【図４】
2004159452.tif 000006
【図５】
2004159452.tif 000007
【図６】
2004159452.tif 000008
【図７】
2004159452.tif 000009
【図８】
2004159452.tif 000010
【図９】
2004159452.tif 000011